【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
・通気領域（１２、１１２）を備える靴底（１１、１１１）、
・防水材料で作られた少なくとも１つの第１ガスケット（１４）によって靴底（１１、１１１）に向かって覆われ、前記通気領域（１２、１１２）の上方に少なくとも１つの通気性又は多孔性部分（１５）を有する組立て内底（１３）、
・少なくとも１つの通気性裏地（１７）、通気性甲皮（１８）およびそれらの間にある防水性と通気性のある上膜（１９）を備え、少なくとも主に「ＡＧＯラスティング」として知られた構造によって前記組立て内底（１３）に結合する上側靴アセンブリィ、
・防水性材料で作られ、前記第１ガスケット（１４）に防水性密封を形成するように接着し、前記甲皮（１８）の下部エッジ（１８ａ）に乗って接着され、前記靴底（１１、１１１）へ前記上側靴アセンブリィ（１６）と前記第１ガスケット（１４）の防水性密封領域を形成し、少なくとも前記通気性又は多孔性部分（１５）を通気性のために解放しておく少なくとも１つの第２ガスケット、
を備えることを特徴とする防水性と通気性のある靴。
【請求項２】
前記上膜（１９）の下部リム（１９ａ）と甲皮（１８）の下部エッジ（１８ａ）が、前記第１ガスケット（１４）の周辺エッジ（１４ａ）の下方で、「ＡＧＯラスティング」として知られる構造により結合され、折り込まれ、気密的に接着され、前記第２ガスケット（２０）は前記下部エッジ（１８ａ）と前記第１ガスケット（１４）に乗ってまたがり、それらを互いにおよび前記靴底（１１）に浸透不能に密封することを特徴とする請求項１記載の防水性と通気性のある靴。
【請求項３】
前記下部エッジ（１８ａ）は前記上膜（１９）の下部リム（１９ａ）に結合される密封部材（２２）を備え、前記下部リム（１９ａ）と前記密封部材（２２）は、前記第１ガスケット（１４）の周辺エッジ（１４ａ）の下方で、「ＡＧＯラスティング」として知られる構造により折り込まれて接着されて密封を形成し、前記第２ガスケット（２０）は前記密封部材（２２）と前記第１ガスケット（１４）に乗ってまたがり、それらを互いに、そして前記靴底（１１）に浸透不能に密封することを特徴とする請求項１又は２記載の防水性と通気性のある靴。
【請求項４】
前記密封部材（２２）は、防水性で熱活性化可能な高分子材料で作られ、前記下部リム（１９ａ）と前記第２ガスケット（２０）に密封を与えるように強固に接着し、それらを互いに密封することを特徴とする請求項３記載の防水性と通気性のある靴。
【請求項５】
前記密封部材（２２）は、密封材料に浸透可能であり、前記第２ガスケット（２０）を構成する材料は、前記密封部材（２２）を通り抜けて防水性の密封を形成し、前記下部リム（１９ａ）を把持し、それを前記第１ガスケット（１４）に浸透不能に密封することを特徴とする請求項３記載の防水性と通気性のある靴。
【請求項６】
裏地（１７）の下部フラップ（１７ａ）と上膜（１９）の下部リム（１９ａ）とが結合され、前記下部フラップ（１７ａ）が薄く削られて下部リム（１９ａ）を露出し、前記下部リム（１９ａ）は前記下部フラップ（１７ａ）を介して露出され、薄く削られ、前記第１ガスケット（１４）の周辺エッジ（１４ａ）の下方で、「ＡＧＯラスティング」として知られる構造によって、折り込まれて気密的に接着され、前記第２ガスケット（２０）は前記下部エッジ（１８ａ）と前記第１ガスケット（１４）に乗ってまたがり、それらを互いに、そして前記靴底（１１）に浸透不能に密封することを特徴とする請求項１記載の防水性と通気性のある靴。
【請求項７】
前記裏地（１７）の下部フラップ（１７ａ）と前記上膜（１９）の下部リム（１９ａ）が、前記組立て内底（１３）の周辺エッジ（１３ａ）の下方で、少なくとも主に「ＡＧＯラスティング」として知られる構造により折り込まれて接着され、前記第１ガスケット（１４）は前記組立て内底（１３）と前記下部リム（１９ａ）に乗ってまたがってそこに浸透不能に密封され、前記甲皮（１８）の下部エッジ（１８ａ）は前記第１ガスケット（１４）の周辺エッジ（１４ａ）の下方で、「ＡＧＯラスティング」として知られる構造によって折り込まれて接着され、前記第２ガスケット（２０）は前記下部エッジ（１８ａ）と前記第１ガスケット（１４）に乗ってまたがり、それらを互いに、そして前記靴底（１１）に浸透不能に密封することを特徴とする請求項１記載の防水性と通気性のある靴。
【請求項８】
前記裏地（１７）の下部フラップ（１７ａ）と前記上膜（１９）の下部リム（１９ａ）が前記組立て内底（１３）の周辺領域（１３ａ）に縫い付けられ、前記第１ガスケット（１４）は前記組立て内底（１３）と前記下部リム（１９ａ）に乗ってまたがりそこに浸透不能に密封され、前記甲皮（１８）の下部エッジ（１８ａ）は前記第１ガスケット（１４）の周辺エッジ（１４ａ）の下方で、「ＡＧＯラスティング」として知られる構造によって折り込まれて接着され、前記第２ガスケット（２０）は前記下部エッジ（１８ａ）と前記第１ガスケット（１４）に乗ってまたがり、それらを互いに、そして前記靴底（１１）に浸透不能に密封することを特徴とする請求項１記載の防水性と通気性のある靴。
【請求項９】
前記裏地（１７）の下部フラップ（１７ａ）と前記上膜（１９）の下部リム（１９ａ）は前記第１ガスケット（１４）の周辺エッジ（１４ａ）の下方で、少なくとも主に「ＡＧＯラスティング」として知られる構造によって折り込まれて接着され、補助ガスケット（２３）は前記第１ガスケット（１４）と前記下部リム（１９ａ）に乗ってまたがり、それらを互いに浸透不能に密封し、前記甲皮（１８）の下部エッジ（１８ａ）は前記補助ガスケット（２３）上に「ＡＧＯラスティング」として知られる構造によって折り込まれて接着され、前記第２ガスケット（２０）は前記下部エッジ（１８ａ）と前記補助ガスケット（２３）に乗ってまたがり、それらを互いにそして前記靴底（１１）に浸透不能に密封することを特徴とする請求項１記載の防水性と通気性のある靴。
【請求項１０】
前記裏地（１７）の下部フラップ（１７ａ）と前記上膜（１９）の下部リム（１９ａ）が前記組立て内底（１３）と前記第１ガスケット（１４）の周辺エッジ（１４ａ）に縫い付けられ、補助ガスケット（２３）が前記第１ガスケット（１４）と前記下部リム（１９ａ）に乗ってまたがり、それらを互いに浸透不能に密封し、甲皮（１８）の下部エッジ（１８ａ）が前記補助ガスケット（２３）の上に、「ＡＧＯラスティング」として知られる構造によって折り込まれて接着され、前記第２ガスケット（２０）は前記下部エッジ（１８ａ）と補助ガスケット（２３）に乗ってまたがり、それらを互いにおよび前記靴底（１１）に浸透不能に密封することを特徴とする請求項１記載の防水性と通気性のある靴。
【請求項１１】
前記裏地（１７）の下部フラップ（１７ａ）と前記上膜（１９）の下部リム（１９ａ）が、前記第１ガスケット（１４）の周辺エッジ（１４ａ）の下方で、少なくとも主に「ＡＧＯラスティング」として知られる構造によって折り込まれて接着され、前記甲皮（１８）の下部エッジ（１８ａ）は前記下部リム（１９ａ）の上に「ＡＧＯラスティング」として知られる構造によって折り込まれて接着されて、端部（２４）を露出させ、前記第２ガスケット（２０）は前記下部エッジ（１８ａ）に乗ってまたがり、前記端部（２４）と前記第１ガスケット（１４）はそれらを互いに、そして前記靴底（１１）に浸透不能に密封することを特徴とする請求項１記載の防水性と通気性のある靴。
【請求項１２】
前記第１ガスケット（１４）が防水性高分子材料で作られ、前記靴底（１１）が１つ以上の広い開口又は複数の孔（１２ａ）を有し、１つ以上の広い開口又は複数の孔（１２ａ）は通気性又は多孔性部分（１５）に対面し、防水性と通気性のある挿入体（２１）によって、密封を形成するように覆われ、足挿入領域（Ａ）からの蒸気を排出させ、同時にそれへの液体の上昇を防止することを特徴とする請求項１記載の防水性と通気性のある靴。
【請求項１３】
少なくとも前記通気性又は多孔性部分（１５）において、前記組立て内底（１３）と前記第１ガスケット（１４）との間にあって防水性と通気性のあるプランター挿入体（２５）を備え、前記プランター挿入体（２５）はその周囲に沿って密封されて少なくとも前記通気性又は多孔性部分（１５）を覆い、前記通気性又は多孔性部分（１５）は前記第２ガスケット（２０）によって周辺が前記靴底（１１、１１１）に密封され前記通気領域（１２、１１２）を覆うことを特徴とする請求項１記載の防水性と通気性のある靴。
【請求項１４】
熱可塑性高分子材料で作られ、前記プランター挿入体（２５）を前記第１ガスケット（１４）に周辺で密封して前記通気性又は多孔性部分（１５）を浸透不能に覆う密封フィルム（２６）を備える請求項１３記載の防水性と通気性のある靴。
【請求項１５】
前記靴底（１１１）は、足挿入領域Ａから生じる水蒸気を排出するための、厚さ方向に貫通する１つ以上の広い開口又は複数の貫通孔（１１２ａ）を有することを特徴とする請求項１３又は１４記載の防水性と通気性のある靴。
【請求項１６】
前記通気性又は多孔性部分（１５）に対面し、密封を形成するために防水性と通気性のある挿入体（２１）によって覆われ、足挿入領域（Ａ）からの蒸気を排出させ、同時にそれへの液体の上昇を防止する、１つ以上の広い開口又は複数の孔（１２ａ）を、前記靴底（１１）が有することを特徴とする請求項１３又は１４記載の防水性と通気性のある靴。
【請求項１７】
前記第１ガスケットがその層の少なくとも１つにおいて防水性と通気性のある高分子材料で作られ、前記第２ガスケット（２０）によって前記靴底（１１、１１１）に周辺で密封され、前記通気領域（１２、１１２）の防水シールを提供する請求項１記載の防水性と通気性のある靴。
【請求項１８】
前記靴底（１１１）は厚さ方向に貫通する１つ以上の広い開口又は複数の孔を有し、それらの開口又は孔は足挿入領域Ａから生じる水蒸気を排出する請求項１７記載の防水性と通気性のある靴。
【請求項１９】
前記靴底（１１）が１つ以上の広い開口又は複数の孔（１２ａ）を有し、前記開口又は孔（１２ａ）は、前記通気性又は多孔性部分（１５）に対面して、防水性と通気性のある挿入体（２１）によって密封を形成するように覆われ、足挿入領域（Ａ）からの蒸気を排出させ同時に前記領域への液体の上昇を防止することを特徴とする請求項１７記載の防水性と通気性のある靴。